(57)【特許請求の範囲】
【請求項１】
情報端末と、
前記情報端末と無線通信の可能な第１の通信装置と、
前記第１の通信装置と無線通信の可能な第２の通信装置とを備え、
前記第１の通信装置は、
所定の処理を実行するための指示を前記情報端末へ送信する送信手段と、
前記情報端末による前記所定の処理の実行に関するイベント情報を前記情報端末から受信する第１の受信手段と、
前記第１の通信装置の利用状態を判定する判定手段と、
前記イベント情報を、前記判定された前記第１の通信装置の利用状態に応じて選択的に前記第２の通信装置へ転送する転送手段と、
前記イベント情報が前記第２の通信装置へ転送されなければ、前記イベント情報の処理を実行する第１の実行手段と
を有し、
前記第２の通信装置は、
前記イベント情報を前記第１の通信装置から受信する第２の受信手段と、
前記イベント情報が前記第１の通信装置から受信されれば、前記イベント情報の処理を実行する第２の実行手段と
を有することを特徴とする情報通知システム。
【請求項２】
前記判定手段による判定の結果、前記第１の通信装置が利用可能な状態である場合には前記転送手段による前記イベント情報の転送を行わず、前記第１の実行手段により前記イベント情報の処理を実行し、前記第１の通信装置が利用できない状態である場合には前記転送手段により前記第２の通信装置へ前記イベント情報を転送し、前記第１の実行手段による前記イベント情報の処理を行わないことを特徴とする請求項１に記載の情報通知システム。
【請求項３】
前記情報端末は撮像装置であり、前記所定の処理は撮影処理であることを特徴とする請求項１または２に記載の情報通知システム。
【請求項４】
前記イベント情報は、撮影完了を示すことを特徴とする請求項３に記載の情報通知システム。
【請求項５】
前記撮影処理はインターバル撮影であり、所定の時間が経過すると、撮影完了を示すイベント情報が前記情報端末から前記第１の通信装置へ送信されることを特徴とする請求項４に記載の情報通知システム。
【請求項６】
前記第１の通信装置はハンドヘルド端末であり、前記第２の通信装置はウェアラブル端末であることを特徴とする請求項１乃至５のいずれか１項に記載の情報通知システム。
【請求項７】
情報端末及び他の通信装置と無線通信の可能な通信装置であって、
所定の処理を実行するための指示を前記情報端末へ送信する送信手段と、
前記情報端末による前記所定の処理の実行に関するイベント情報を前記情報端末から受信する第１の受信手段と、
前記通信装置の利用状態を判定する判定手段と、
前記イベント情報を、前記判定された前記通信装置の利用状態に応じて選択的に前記他の通信装置へ転送する転送手段と、
前記イベント情報が前記他の通信装置へ転送されなければ、前記イベント情報の処理を実行する実行手段と、
を備えることを特徴とする通信装置。
【請求項８】
前記判定手段による判定の結果、前記通信装置が利用可能な状態である場合には前記転送手段による前記イベント情報の転送を行わず、前記実行手段により前記イベント情報の処理を実行し、前記通信装置が利用できない状態である場合には前記転送手段により前記他の通信装置へ前記イベント情報を転送し、前記実行手段による前記イベント情報の処理を行わないことを特徴とする請求項７に記載の通信装置。
【請求項９】
前記情報端末は撮像装置であり、前記所定の処理は撮影処理であることを特徴とする請求項７または８に記載の通信装置。
【請求項１０】
前記イベント情報は、撮影完了を示すことを特徴とする請求項９に記載の通信装置。
【請求項１１】
前記撮影処理はインターバル撮影であり、所定の時間が経過すると、撮影完了を示すイベント情報が前記情報端末から前記通信装置へ送信されることを特徴とする請求項１０に記載の通信装置。
【請求項１２】
前記通信装置はハンドヘルド端末であり、前記他の通信装置はウェアラブル端末であることを特徴とする請求項７乃至１１のいずれか１項に記載の通信装置。
【請求項１３】
情報端末及び他の通信装置と無線通信の可能な通信装置の制御方法であって、
所定の処理を実行するための指示を前記情報端末へ送信するステップと、
前記情報端末による前記所定の処理の実行に関するイベント情報を前記情報端末から受信するステップと、
前記通信装置の利用状態を判定するステップと、
前記イベント情報を、前記判定された前記通信装置の利用状態に応じて選択的に前記他の通信装置へ転送するステップと、
前記イベント情報が前記他の通信装置へ転送されなければ、前記イベント情報の処理を実行するステップと
を備えることを特徴とする制御方法。
【請求項１４】
コンピュータを請求項７乃至１２のいずれか一項に記載の通信装置の各手段として機能させるプログラム。
【発明の詳細な説明】
【技術分野】
【０００１】
本発明は、複数の端末間で無線通信を行う情報通知システムに関する。
【背景技術】
【０００２】
近年、ユーザが身に着けるスマートウォッチのような無線通信機能を備えたウェアラブル端末が提案されている。また、ユーザが持ち歩くことのできるスマートフォンのような無線通信機能を備えたハンドヘルド端末が開発されている。そして、デジタルカメラのような無線通信機能を備えた情報提供端末も多く開発されている。これらの端末は、通信能力、表示能力、情報処理能力、実行可能な機能等がそれぞれ異なるため、ユーザは使用目的や使用場所に応じてこれらの端末を使い分けている。例えば、ユーザは、電子メールの受信通知をスマートウォッチで確認し、電子メールの閲覧をスマートフォンで行い、電子メールで送信する画像ファイルの生成をデジタルカメラで行うことができる。
【０００３】
また、複数の端末間で通信を行い、コンテンツを送受信し、所望の端末においてコンテンツに対して目的とする処理を実行することが行われている（特許文献１参照）。特許文献１では、デジタルカメラは、スマートフォンからの要求により、画像ファイルをスマートフォンへ送信し、スマートフォンの表示部に画像が表示される。
【先行技術文献】
【特許文献】
【０００４】
【特許文献１】特開２０１４−５３７０２号公報
【発明の概要】
【発明が解決しようとする課題】
【０００５】
ユーザが種類の異なる複数の端末を有している場合には、ユーザの利用状況に応じて利用可能な端末が異なる場合がある。各端末の有する機能の能力はそれぞれ異なることもあり、ユーザは利用の目的に応じて端末を使い分けることが求められるが、ユーザにとって煩わしかった。
本発明の目的は、ユーザを煩わせることなく、ユーザの利用状況に応じて判りやすく情報を提供することの可能な情報通知システムを提供する。
【課題を解決するための手段】
【０００６】
したがって、上記課題を解決するため、本発明は、イベント情報を発生する情報端末と、前記情報端末と無線通信の可能な第１の通信装置と、前記情報端末及び前記第１の通信装置と無線通信の可能な第２の通信装置とを備え、前記情報端末、前記第１の通信装置、及び前記第２の通信装置のうち少なくともいずれかは、前記第１の通信装置の利用状態を判定し、前記利用状態に応じて、前記イベント情報の処理を実行する通信装置を決定し、前記第１の通信装置及び前記第２の通信装置の少なくともいずれかは、前記決定に応じて前記イベント情報の処理を実行する。
【発明の効果】
【０００７】
本発明によれば、複数の無線通信端末が存在する場合に、それぞれの無線通信端末の利用状態に応じて、最適な無線通信端末を選択するとともに、必要な処理を自動的に実行することができる。これにより、ユーザが煩雑な操作をすることなく、所有する無線通信端末を有効に活用してユーザに判りやすく情報を提供できる。
【図面の簡単な説明】
【０００８】
【図１】本発明の第１の実施形態によるシステム構成図である。
【図２】本発明の第１の実施形態によるデジタルカメラのハードウェア構成図である。
【図３】本発明の第１の実施形態によるウェアラブル機器のハードウェア構成図である。
【図４】本発明の第１の実施形態によるハンドヘルド端末のハードウェア構成図である。
【図５】本発明の第１の実施形態による情報通知システムでの処理を示すアクティビティ図である。
【図６】本発明の第１の実施形態における情報通知システムの処理を示すアクティビティ図である。
【図７】本発明の第２の実施形態による情報通知システムの処理を示すアクティビティ図である。
【図８】本発明の第３の実施形態による情報通知システムの処理を示すアクティビティ図である。
【図９】本発明の第４の実施形態による情報通知システムの処理を示すアクティビティ図である。
【図１０】本発明の第５の実施形態による情報通知システムの処理を示すアクティビティ図である。
【図１１】本発明の第６の実施形態による録画再生装置を示すハードウェア構成図である。
【図１２】本発明の第６の実施形態による情報通知システムの処理を示すアクティビティ図である。
【発明を実施するための形態】
【０００９】
以下に、本発明を実施するための形態について、添付の図面を用いて詳細に説明する。なお、以下に説明する実施の形態は、本発明の実現手段としての一例であり、本発明が適用される装置の構成や各種条件によって適宜修正又は変更されてもよい。また、各実施の形態を適宜組み合せることも可能である。
【００１０】
［第１の実施形態］
本実施形態の情報通知システム１００について図１を用いて説明する。図１は本実施形態による情報通知システム１００の概略図である。図１（ａ）は本実施形態において各デバイスの接続状態を示した概略図である。情報通知システム１００ａは、情報端末としてのデジタルカメラ１０１、第１の通信装置としてのウェアラブル端末１０２、及び第２の通信装置としてのハンドヘルド端末１０３を備えている。デジタルカメラ１０１、ウェアラブル端末１０２、及びハンドヘルド端末１０３はアクセスポイント１０４を介して互いに無線通信可能に接続されている。図１（ａ）に示す構成では、デジタルカメラ１０１、ウェアラブル端末１０２、及びハンドヘルド端末１０３の間の通信はＷｉ−Ｆｉの無線ＬＡＮ接続で実現されている。この場合はアクセスポイント１０４が生成しているＳＳＩＤ（Service Set Identifier）に各デバイスがジョイン（参加）している状態となる、いわゆるインフラストラクチャーモードでの接続形態となる。アクセスポイント１０４はルーター機能も有しており、外部のインターネット１０５にも接続しているため、各デジタルカメラ１０１、ウェアラブル端末１０２、及びハンドヘルド端末１０３は外部のインターネット１０５への接続も可能となる。
【００１１】
図１（ｂ）は本実施形態による情報通知システム１００ｂの別の接続状態を示した概略図である。デジタルカメラ１０１、ウェアラブル端末１０２、及びハンドヘルド端末１０３はそれぞれが直接無線接続されている。デジタルカメラ１０１、ウェアラブル端末１０２、及びハンドヘルド端末１０３の間の通信はＷｉ−Ｆｉによる無線ＬＡＮ接続で実現されている。図１（ｂ）に示す場合では、各デバイスがそれぞれ直接接続する、いわゆるアドホックモードでの接続により各デバイス間の無線接続が確立する。また、デジタルカメラ１０１、ウェアラブル端末１０２、またはハンドヘルド端末１０３がアクセスポイントの機能を有し、独自でＳＳＩＤを生成し、その他のデバイスがジョインすることによっても無線接続が確立する。
【００１２】
図２は、本発明の実施形態によるデジタルカメラ１０１のハードウェア構成図である。図２（ａ）は、本実施形態のデジタルカメラ１０１のハードウェア構成図、図２（ｂ）、図２（ｃ）はデジタルカメラ１０１の斜視図である。本実施形態では情報端末の一例として撮像装置であるデジタルカメラ１０１について述べるが、情報端末はこれに限られない。なお、デジタルカメラ１０１において、レリーズスイッチ２０５ａが設けられている側を上側、撮像部２０２が設けられている側を正面側、表示部２０６が設けられている側を背面側と定義する。
【００１３】
デジタルカメラ１０１は、制御部２０１、撮像部２０２、不揮発性メモリ２０３、作業用メモリ２０４、操作部２０５、表示部２０６、タイマ２０７、記録媒体Ｉ／Ｆ２０９、及び記録媒体２１０を備えている。デジタルカメラ１０１は、通信部２１１、給電部２１２、電源部２１３、及び電源制御部２１４をさらに備えている。撮像部２０２、不揮発性メモリ２０３、作業用メモリ２０４、操作部２０５、表示部２０６、タイマ２０７、記録媒体Ｉ／Ｆ２０９、通信部２１１、電源制御部２１４は、制御部２０１に電気的に接続されている。
【００１４】
制御部２０１は、ＣＰＵ（Central Processing Unit）を備え（図示せず）、入力された信号や、不揮発性メモリ２０３に格納されているプログラムを実行することによってデジタルカメラ１０１の各部を制御する。なお、制御部２０１がデジタルカメラ１０１全体を制御する代わりに、複数のＣＰＵが処理を分担することによって、デジタルカメラ１０１全体を制御してもよい。
【００１５】
撮像部２０２は、デジタルカメラ１０１の筐体１０１ａの正面１０１ｂに設けられている。撮像部２０２は、例えば、光学レンズユニットを有し、絞り・ズーム・フォーカスなど制御する光学系、及び光学レンズユニットを経て導入された光（映像）を電気的な映像信号に変換するための撮像素子等を備えている。撮像素子としては、一般的には、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）や、ＣＣＤ（Ｃｈａｒｇｅ  Ｃｏｕｐｌｅｄ  Ｄｅｖｉｃｅ）が用いられる。撮像部２０２は、制御部２０１に制御されることにより、撮像部２０２に含まれるレンズで結像された被写体光を撮像素子により電気信号に変換し、電気信号をデジタル変換してノイズ低減処理などの画像処理を行い、画像データとして出力する。本実施形態のデジタルカメラ１０１では、画像データは、ＤＣＦ（Ｄｅｓｉｇｎ  Ｒｕｌｅ  ｆｏｒ  Ｃａｍｅｒａ  Ｆｉｌｅ  Ｓｙｓｔｅｍ）の規格に従って、記録媒体２１０に記録される。
【００１６】
不揮発性メモリ２０３は、電気的に消去及び記録可能なメモリであり、制御部２０１で実行されるプログラム等が格納される。不揮発性メモリ２０３には、ウェアラブル端末１０２及びハンドヘルド端末１０３と無線通信を行うためのアプリケーションが格納されている。作業用メモリ２０４は、撮像部２０２で撮像された画像データを一時的に保持するバッファメモリ、表示部２０６に表示する画像データを格納する画像表示用メモリ、及び制御部２０１の作業領域等として用いられる。
【００１７】
操作部２０５は、例えばデジタルカメラ１０１の電源のＯＮ／ＯＦＦを切り替えるための電源ボタン、撮影を指示するためのレリーズスイッチ２０５ａ、及び画像データの再生を指示するための再生ボタン２０５ｂを含む。操作部２０５は、４方向ボタン２０５ｃ、及び通信部２１１を介して外部機器との通信を開始するための専用の接続ボタンなどを含む。また、操作部２０５として、表示部２０６を位置入力の機能を備えたタッチパネル２０５ｄとしてもよい。このように、操作部２０５はユーザがデジタルカメラ１０１に対する指示をユーザから受け付けるために用いられる。
【００１８】
レリーズスイッチ２０５ａは、デジタルカメラ１０１の筐体１０１ａの上面１０１ｃに設けられ、第１のシャッタースイッチＳＷ１および第２のシャッタースイッチＳＷ２を有する。レリーズスイッチ２０５ａがいわゆる半押し状態となることにより、第１のシャッタースイッチＳＷ１がＯＮとなる。これにより、制御部２０１は、ＡＦ（オートフォーカス）処理、ＡＥ（自動露出）処理、ＡＷＢ（オートホワイトバランス）処理、ＥＦ（フラッシュプリ発光）処理等を開始する。また、レリーズスイッチ２０５ａがいわゆる全押し状態となることにより、第２のシャッタースイッチＳＷ２がＯＮとなる。これにより、制御部２０１は撮影処理を行う。撮影処理とは、撮像部２０２から信号を読み出し、画像処理を行い、作業用メモリ２０４に画像データを書き込み、表示部２０６に表示し、記録媒体２１０に画像データを書き込むまでの処理である。
【００１９】
表示部２０６は、筐体１０１ａの背面１０１ｄに設けられ、液晶ディスプレイ等から構成されている。表示部２０６は、撮影の際のビューファインダー画像の表示、撮影した画像データの表示、およびユーザとの対話的な操作のための文字等を表示する。なお、表示部２０６は必ずしもデジタルカメラ１０１と一体に構成されている必要はない。例えば、表示部２０６はデジタルカメラ１０１から分離可能に構成されていてもよいし、デジタルカメラ１０１とは異なる外部の機器が有する表示部を用いてもよい。デジタルカメラ１０１は、一体に構成された表示部２０６または外部の表示部２０６と接続することができ、表示部２０６の表示を制御する制御部２０１を有していればよい。タイマ２０７は、各種制御における時間の計測や、内蔵された時計の時間を計測する。
【００２０】
記録媒体Ｉ／Ｆ２０９は、記録媒体２１０とのインターフェースである。撮影時には、制御部２０１の指示信号により、作業用メモリ２０４に格納された撮影時の画像データを読み出して記録媒体２１０に記録する。記録媒体２１０は、撮像部２０２から出力された画像データを記録するためのメモリーカード等の記録媒体であり、半導体メモリや磁気ディスク等から構成される。記録媒体２１０は、デジタルカメラ１０１に着脱可能であってもよいし、デジタルカメラ１０１に内蔵されていてもよい。
【００２１】
通信部２１１は、通信可能な外部装置と無線通信を行うためのインターフェースである。通信部２１１は、ＩＥＥＥ８０２．１５.１の規格に従った、いわゆるＢｌｕｅｔｏｏｔｈ（登録商標）で通信するためのインターフェースを含む。制御部２０１は、通信部２１１を制御することによって外部装置との無線通信を実現する。本実施形態のデジタルカメラ１０１は、通信部２１１を介して、ウェアラブル端末１０２及びハンドヘルド端末１０３とデータの送受信を行うことができる。例えば、撮像部２０２で生成した画像データを、通信部２１１を介してウェアラブル端末１０２及びハンドヘルド端末１０３に送信することができる。なお、通信方式はＢｌｕｅｔｏｏｔｈに限定されるものではなく、短距離無線通信、例えば、ＩＥＥＥ８０２．１１の規格で知られるＷｉ−Ｆｉ等の無線ＬＡＮ、または赤外通信方式も含む。
【００２２】
本実施形態におけるデジタルカメラ１０１の通信部２１１は、ペリフェラルモード、または、セントラルモードを有している。制御部２０１は、通信部２１１をペリフェラルモードで動作させることにより、本実施形態におけるデジタルカメラ１０１は、Ｂｌｕｅｔｏｏｔｈにおけるクライアントとして動作することが可能である。デジタルカメラ１０１がクライアントとして動作する場合、セントラルモードになるウェアラブル端末１０２またはハンドヘルド端末１０３に接続することによって無線通信することが可能である。なお、接続する外部機器との認証については、事前にペアリングを行うことによって互いを認証し、接続するウェアラブル端末１０２及びハンドヘルド端末１０３の固有情報を不揮発性メモリ２０３に格納することによって行われる。
【００２３】
給電部２１２は、デジタルカメラ１０１の筐体１０１ａの側面１０１ｅに設けられ、アンテナ（図示せず）を有している。給電部２１２を充電器（図示せず）に一定の距離に近づけることにより、給電部２１２は当該充電器から送信された電波を受信して、受信した電波を図示しない整流器で整流して電源部２１３に給電する。これにより、ケーブル等を介さずに給電部２１２に非接触で給電可能であり、制御部２０１は給電の開始終了を制御することができる。電源部２１３は、二次電池等から構成され、給電部２１２と電気的に接続している。電源制御部２１４は、電源部２１３と電気的に接続し、図示しない電池検出回路、ＤＣ−ＤＣコンバータ、通電するブロックを切り換えるスイッチ回路等を備え、電源部２１３の電池の残量の検出等を行う。電源制御部２１４は、制御部２０１からの指令信号に基づいてＤＣ−ＤＣコンバータを制御し、必要な電圧を必要な時間、デジタルカメラ１０１を構成する各部へ供給する。なお、本実施形態では給電部２１２を電波受信型の非接触給電として説明したが、給電部２１２は非接触給電であればよく、電磁誘導型、または共鳴型であってもよい。
【００２４】
図３は、本実施形態の無線通信端末の一例であるウェアラブル端末１０２のハードウェア構成図である。本実施形態では体に装着することができるウェアラブルな無線通信端末の一例としてスマートウォッチという無線機能付きの腕時計型のウェアラブル端末１０２について説明するが、ウェアラブル端末１０２はこれに限られない。例えばウェアラブル端末１０２は、無線機能付きの眼鏡、無線機能付きの体温計や体組成計、または無線機能付きのヘルメット等であってもよい。
【００２５】
ウェアラブル端末１０２は、制御部３０１、不揮発性メモリ３０３、作業用メモリ３０４、操作部３０５、表示部３０６、記録媒体Ｉ／Ｆ３０９、記録媒体３１０、及び通信部３１１を備えている。不揮発性メモリ３０３、作業用メモリ３０４、操作部３０５、表示部３０６、記録媒体Ｉ／Ｆ３０９、及び通信部３１１は、制御部３０１に電気的に接続されている。
【００２６】
第２のイベント処理手段としての制御部３０１は、ＣＰＵ（Central Processing Unit）を備えている（図示せず）。制御部３０１は、入力された信号を処理し、不揮発性メモリ３０３に格納されたプログラムを実行することによってウェアラブル端末１０２の各部を制御する。制御部３０１は、作業用メモリ３０４及び表示部３０６等を制御して表示制御を行う。なお、制御部３０１がウェアラブル端末１０２全体を制御する代わりに、例えば複数のＣＰＵが処理を分担することによって、ウェアラブル端末１０２全体を制御してもよい。
【００２７】
不揮発性メモリ３０３は、電気的に消去・記録可能なメモリである。不揮発性メモリ３０３には、制御部３０１が実行する基本的なソフトウェアであるＯＳ（オペレーティングシステム）、このＯＳと協働して応用的な機能を実現するアプリケーション、及び制御部３０１で実行されるプログラム等が格納されている。また、本実施形態では、不揮発性メモリ３０３には、デジタルカメラ１０１及びハンドヘルド端末１０３と無線通信するためのアプリケーションが格納されている。作業用メモリ３０４は、表示部３０６に表示する画像データを一時的に格納する画像表示用メモリ、及び制御部３０１の作業領域等として用いられる。
【００２８】
操作部３０５は、例えば、ユーザがウェアラブル端末１０２の電源のＯＮ／ＯＦＦを指示するための電源ボタン、表示部３０６に形成される位置入力の機能を備えたタッチパネル等の操作部を含む。操作部３０５は、ウェアラブル端末１０２に対するユーザからの各種操作を受け付ける。表示部３０６は、液晶ディスプレイ等から構成されている。表示部３０６は、画像データの表示、及びユーザとの対話的な操作のための文字等を表示する。なお、表示部３０６はウェアラブル端末１０２と一体に構成されている必要はなく、ウェアラブル端末１０２とは異なる機器、例えばハンドヘルド端末１０３の表示部４０６を用いてもよい。ウェアラブル端末１０２は、表示部３０６と接続することができ、表示部３０６の表示を制御する制御部３０１を有していればよい。
記録媒体Ｉ／Ｆ３０９は、記録媒体３１０とのインターフェースである。制御部３０１の指示信号により、記録媒体Ｉ／Ｆ３０９は、例えば作業用メモリ３０４に格納されているデータを読み出して記録媒体３１０に記録する。記録媒体３１０は、例えば作業用メモリ３０４から出力されたデータを記録するためのメモリーカード等の記録媒体であり、半導体メモリ等である。記録媒体３１０は、デジタルカメラ１０１から通信部３１１を介して受信した画像データを記録することができる。記録媒体３１０は、ウェアラブル端末１０２に着脱可能に構成してもよいし、ウェアラブル端末１０２に内蔵されていてもよい。
【００２９】
通信部３１１は、外部装置であるデジタルカメラ１０１及びハンドヘルド端末１０３と無線通信を行うためのインターフェースである。本実施形態のウェアラブル端末１０２は、通信部３１１を介して、デジタルカメラ１０１及びハンドヘルド端末１０３とデータの送受信を行うことができる。本実施形態では、通信部３１１はアンテナであり、制御部３０１は、アンテナを介して、デジタルカメラ１０１及びハンドヘルド端末１０３と無線通信することができる。なお、デジタルカメラ１０１及びハンドヘルド端末１０３とウェアラブル端末１０２との通信は、直接接続して通信してもよいし、中継サーバーを介して通信してもよい。
【００３０】
ウェアラブル端末１０２においてデータを通信するためのプロトコルとしては、例えばＢｌｕｅｔｏｏｔｈの独自プロファイルを用いることができる。なお、ウェアラブル端末１０２におけるデジタルカメラ１０１及びハンドヘルド端末１０３との通信はこれに限られるものではない。例えば、通信部３１１は、赤外線通信モジュール、無線ＬＡＮ通信モジュール、ＷｉｒｅｌｅｓｓＵＳＢ等の短距離無線通信の無線通信モジュールを含むことができる。ウェアラブル端末１０２は、通常モード、または通常モードよりも電力消費の小さいスリープモードで動作する。スリープモードのとき、ウェアラブル端末１０２は表示部３０６での表示は行わないが、Ｂｌｕｅｔｏｏｔｈ等の無線通信による外部機器との通信接続は継続しているので外部機器とのデータの送受信が可能である。また、ウェアラブル端末１０２は、電池残量が少ないバッテリ低下状態の場合に一部の機能を無効にする等して電力消費を抑えて動作する。電池残量が少ない場合には、スリープモードの場合と同様に、制御部３０１は表示部３０６への表示は行わないが、無線通信による外部機器との通信接続を継続しているので、外部機器とのデータの送受信が可能である。
【００３１】
図４は、本実施形態の無線通信端末の一例であるハンドヘルド端末１０３のハードウェア構成図である。なお、本実施形態では、ハンドヘルド端末１０３はスマートフォンやタブレット端末等である。ハンドヘルド端末１０３は、制御部４０１、不揮発性メモリ４０３、作業用メモリ４０４、操作部４０５、表示部４０６、記録媒体Ｉ／Ｆ４０９、記録媒体４１０、及び通信部４１１を備えている。不揮発性メモリ４０３、作業用メモリ４０４、操作部４０５、表示部４０６、記録媒体Ｉ／Ｆ４０９、及び通信部４１１は、制御部４０１に電気的に接続されている。
【００３２】
第１のイベント処理手段としての制御部４０１は、ＣＰＵ（Central Processing Unit）を備えている（図示せず）。制御部４０１は、入力された信号を処理し、不揮発性メモリ４０３に格納されたプログラムを実行することによりハンドヘルド端末１０３の各部を制御する。制御部４０１は、作業用メモリ４０４及び表示部４０６等を制御して、表示部４０６の表示制御を行う。なお、制御部４０１がハンドヘルド端末１０３全体を制御する代わりに、例えば複数のＣＰＵが処理を分担することによって、ハンドヘルド端末１０３全体を制御してもよい。
【００３３】
不揮発性メモリ４０３は、電気的に消去・記録可能なメモリである。不揮発性メモリ４０３には、制御部４０１が実行する基本的なソフトウェアであるＯＳ（オペレーティングシステム）、このＯＳと協働して応用的な機能を実現するアプリケーション、及び制御部４０１で実行されるプログラム等が格納されている。本実施形態では、不揮発性メモリ４０３には、デジタルカメラ１０１及びウェアラブル端末１０２と無線通信するためのアプリケーションが格納されている。作業用メモリ４０４は、表示部４０６に表示する画像データを一時的に格納する画像表示用メモリ、及び制御部４０１の作業領域等として用いられる。
【００３４】
操作部４０５は、例えば、ユーザがハンドヘルド端末１０３の電源のＯＮ／ＯＦＦを指示するための電源ボタン、表示部４０６に形成される位置入力の機能を備えたタッチパネルなどの操作部を含む。操作部４０５は、ハンドヘルド端末１０３に対するユーザからの指示を受け付ける。表示部４０６は、液晶ディスプレイ等から構成されている。表示部４０６は、画像データの表示、及びユーザとの対話的な操作のための文字等を表示する。なお、表示部４０６はハンドヘルド端末１０３と一体に構成されている必要はない。ハンドヘルド端末１０３は、表示部４０６と接続することができ、表示部４０６の表示を制御する制御部４０１を有していればよい。
【００３５】
記録媒体Ｉ／Ｆ４０９は、記録媒体４１０とのインターフェースである。制御部４０１の指示信号により、記録媒体Ｉ／Ｆ４０９は、例えば作業用メモリ４０４に格納されているデータを読み出して記録媒体４１０に記録する。記録媒体４１０は、例えば作業用メモリ４０４から出力されたデータを記録するためのメモリーカード等の記録媒体であり、半導体メモリ等である。記録媒体４１０は、デジタルカメラ１０１が、通信部４１１を介して受信した画像データを記録することができる。記録媒体４１０は、ハンドヘルド端末１０３に着脱可能に構成してもよいし、ハンドヘルド端末１０３に内蔵されていてもよい。
【００３６】
通信部４１１は、外部装置であるデジタルカメラ１０１及びウェアラブル端末１０２と無線通信を行うためのインターフェースである。本実施形態のハンドヘルド端末１０３は、通信部４１１を介して、外部装置であるデジタルカメラ１０１及びウェアラブル端末１０２とデータの送受信を行うことができる。本実施形態では、通信部４１１はアンテナであり、制御部４０１は、アンテナを介してデジタルカメラ１０１と無線通信することができる。なお、デジタルカメラ１０１及びウェアラブル端末１０２との通信では、直接接続して通信してもよいし、中継サーバーを介して通信してもよい。ハンドヘルド端末１０３においてデータを通信するためのプロトコルとしては、例えばＢｌｕｅｔｏｏｔｈの独自プロファイルを用いることができる。なお、ハンドヘルド端末１０３とデジタルカメラ１０１及びウェアラブル端末１０２との通信はこれに限られるものではない。例えば、通信部４１１は、赤外線通信モジュール、無線ＬＡＮ通信モジュール、ＷｉｒｅｌｅｓｓＵＳＢ等の短距離無線通信の無線通信モジュールを含むことができる。ハンドヘルド端末１０３は、通常モード、または通常モードよりも電力消費の小さいスリープモードで動作する。スリープモードの場合には、ハンドヘルド端末１０３は表示部４０６での表示は行わないが、Ｂｌｕｅｔｏｏｔｈ等の無線通信による外部機器との通信接続は継続しているので、外部機器とのデータの送受信は可能である。
【００３７】
図５は本実施形態の情報通知システム１００を説明するためのアクティビティ図である。図５では、ハンドヘルド端末１０３によるデジタルカメラ１０１のリモート撮影の処理について説明する。なお、図５に示す処理の前に、デジタルカメラ１０１の電源はＯＮされているものとする。ステップＳ５０１では、ユーザの操作により、ハンドヘルド端末１０３の制御部４０１は、不揮発性メモリ４０３から、デジタルカメラ１０１と無線通信するためのアプリケーションを読み出して起動する。ステップＳ５０２では、制御部４０１は、デジタルカメラ１０１にインターバル撮影の指令信号を送信する。ステップＳ５０３では、デジタルカメラ１０１の制御部２０１は、インターバル撮影の指令を受信する。インターバル撮影の指令信号には、撮影間隔、撮影時間等の情報が含まれている。ステップＳ５０４では、デジタルカメラ１０１の制御部２０１は、デジタルカメラ１０１の初期化を行う。デジタルカメラ１０１の初期化とは、例えば計時した経過時間をリセットする等の処理である。ステップＳ５０５では、デジタルカメラ１０１の制御部２０１は、インターバル撮影を開始する。インターバル撮影とは、所定時間毎に自動で撮影を行うものである。制御部２０１は、インターバル撮影の開始と共に、タイマ２０７を用いてインターバル撮影を開始してからの経過時間を計時する。
【００３８】
ステップＳ５０６では、デジタルカメラ１０１の制御部２０１は、経過時間がインターバルに設定された時間に到達したか否かを検出する。経過時間がインターバルに設定された時間に到達した場合には（ステップＳ５０６：撮影開始時間）、制御部２０１は撮影時間に到達したと判定して撮影を行う（ステップＳ５０７）。ステップＳ５０７では、デジタルカメラ１０１の制御部２０１は、撮影を行う。撮影の完了後、制御部２０１はイベント情報としての撮影完了イベントを発生する。撮影完了イベントとは、例えば撮影が完了したことを示す信号、及び撮影した画像等のコンテンツの処理要求である。一方、経過時間がインターバルに設定された時間に到達していない場合には（ステップＳ５０６：撮影時間外）、制御部２０１は撮影時間に到達していないと判定し、撮影継続の判定を行う（ステップＳ５１３）。ステップＳ５０８では、撮影終了後、デジタルカメラ１０１の制御部２０１は、図６に示す端末の状態判定処理を実行する。詳細については後述する。なお、本実施形態では、ステップＳ５０８の処理により、ハンドヘルド端末１０３が撮影完了イベントの処理を実行する装置として決定されているものとする。
【００３９】
ステップＳ５０９では、デジタルカメラ１０１の制御部２０１は、通信部２１１を介して撮影完了イベントをハンドヘルド端末１０３に送信する。ステップＳ５１０では、ハンドヘルド端末１０３の制御部４０１は、通信部４１１を介して撮影完了イベントを受信する。ステップＳ５１１では、ハンドヘルド端末１０３の制御部４０１は、撮影完了イベントに基づく通知をハンドヘルド端末１０３の表示部４０６に表示する。ステップＳ５１２では、ハンドヘルド端末１０３の制御部４０１は、アプリケーションを終了するか否かを判定する。アプリケーション終了の条件が満たされていない場合には（ステップＳ５１２：アプリ動作）、ハンドヘルド端末１０３の制御部４０１は撮影完了のイベントを受信するまで待機する。アプリケーション終了の条件が満たされている場合には（ステップＳ５１２：アプリ終了）、ハンドヘルド端末１０３の制御部４０１はアプリケーションを終了する。アプリケーション終了の条件として、例えば、ハンドヘルド端末１０３の制御部４０１がデジタルカメラ１０１に通信部４１１を介してインターバル撮影の終了の指令信号を送信した場合等がある。
【００４０】
ステップＳ５１３では、デジタルカメラ１０１の制御部２０１は、ハンドヘルド端末１０３からの指示に応じてインターバル撮影を終了するか否かを判定する。インターバル撮影の終了の条件として、例えば撮影を開始してからの経過時間が撮影時間に到達した場合等がある。インターバル撮影を終了する場合には（ステップＳ５１３：撮影終了）、制御部２０１はインターバル撮影を終了する。インターバル撮影を継続する場合には（ステップＳ５１３：撮影継続）、制御部２０１は、撮影時間に到達するまで待機する。
【００４１】
図６は本発明の実施形態による情報通知システム１００での処理を示すアクティビティ図である。図６は、図５のステップＳ５０８以降の処理を示している。詳しくは、ステップＳ５０８の処理はステップＳ６０１〜Ｓ６０５、ステップＳ５０９はステップＳ６０６、ステップＳ５１０はステップＳ６０７、及びステップＳ５１１、５１２はステップＳ６０８にそれぞれ対応している。図６を用いてユーザの状況に応じてデジタルカメラ１０１が生成したコンテンツの処理について説明する。図６に示す処理を実行する前に、ユーザは、ハンドヘルド端末１０３を使わない場合にはボタン操作等によってハンドヘルド端末１０３をスリープモードにしておく。また、ハンドヘルド端末１０３は、ユーザによる操作が一定時間行われない場合、または照度センサにより一定時間光が遮断されている場合等にもスリープモードへ移行する。ウェアラブル端末１０２は、ユーザに身につけられているものとし、デジタルカメラ１０１からのコンテンツの受信が可能であり、受信したことを示すイベント表示等が可能である。なお、図６において、デジタルカメラ１０１で行われる処理は、制御部２０１が不揮発性メモリ２０３から読み出されたプログラムを実行することによって行われる。また、ウェアラブル端末１０２において行われる処理は、制御部３０１によって不揮発性メモリ３０３から読み出されたアプリケーション及びプログラム等を実行することによって行われる。さらに、ハンドヘルド端末１０３において行われる処理は、制御部４０１によって不揮発性メモリ４０３から読み出されたアプリケーション及びプログラム等を実行することによって行われる。
【００４２】
ステップＳ６０１では、デジタルカメラ１０１の制御部２０１は、ハンドヘルド端末１０３の状態を取得するための状態取得要求を、通信部２１１を介してハンドヘルド端末１０３に送信する。ハンドヘルド端末１０３の状態とは、ハンドヘルド端末１０３のモードを示しており、通常モードまたはスリープモードである。ステップＳ６０２では、ハンドヘルド端末１０３の制御部４０１は、通信部４１１を介して状態取得要求を受信する。ステップＳ６０３では、ハンドヘルド端末１０３の制御部４０１は、通信部４１１を介してハンドヘルド端末１０３自身の状態情報をデジタルカメラ１０１に送信する。ステップＳ６０４では、デジタルカメラ１０１の制御部２０１は、通信部２１１を介してハンドヘルド端末１０３の状態情報を受信する。
【００４３】
ステップＳ６０５では、デジタルカメラ１０１の制御部２０１は、受信した状態情報に基づき、ハンドヘルド端末１０３の状態を判定する。詳しくは、制御部２０１は、ハンドヘルド端末１０３が撮影完了イベントの処理を実行することができるか否かを判定する。ハンドヘルド端末１０３が通常モードである場合には（ステップＳ６０５：通常モード）、制御部２０１は、ハンドヘルド端末１０３が通常モードであり、ユーザがハンドヘルド端末１０３を利用していると判定する。そしてデジタルカメラ１０１の制御部２０１は、ハンドヘルド端末１０３を撮影完了イベントの処理を実行する装置として決定し、ハンドヘルド端末１０３に撮影完了イベントを送信する（ステップＳ６０６）。
【００４４】
ステップＳ６０６では、デジタルカメラ１０１の制御部２０１は、通信部２１１を介して、ハンドヘルド端末１０３にデジタルカメラ１０１で生成された撮影完了イベントを送信する。ステップＳ６０７では、ハンドヘルド端末１０３の制御部４０１は、通信部４１１を介してデジタルカメラ１０１からの撮影完了イベントを受信する。ステップＳ６０８では、ハンドヘルド端末１０３の制御部４０１は、受信した撮影完了イベントに基づく通知を表示部４０６に表示する。これにより、ユーザが利用しているハンドヘルド端末１０３にイベントの通知が表示されるので、ユーザはインターバル撮影が完了したことをすぐに確認することができる。なお、ハンドヘルド端末１０３は、図示しないバイブ機能やスピーカ等を用いてユーザに通知するようにしてもよい。
【００４５】
一方、ステップＳ６０５においてハンドヘルド端末１０３がスリープモードである場合には（ステップＳ６０５：スリープモード）、デジタルカメラ１０１の制御部２０１は、ユーザがハンドヘルド端末１０３を利用していないと判定する。ハンドヘルド端末１０３がスリープモードである場合には、ハンドヘルド端末１０３はデジタルカメラ１０１からの撮影完了イベントを受信しても、ユーザに当該イベントを通知することができない状態にある。そしてデジタルカメラ１０１の制御部２０１は、ウェアラブル端末１０２を撮影完了イベントの処理を実行する装置として決定する。ステップＳ６０９では、デジタルカメラ１０１の制御部２０１は、通信部２１１を介してウェアラブル端末１０２に撮影完了イベントを送信する。ステップＳ６１０では、ウェアラブル端末１０２の制御部３０１は、通信部３１１を介してデジタルカメラ１０１から撮影完了イベントを受信する。ウェアラブル端末１０２の制御部３０１は、デジタルカメラ１０１のイベントに基づく通知をウェアラブル端末１０２の表示部３０６に表示する。なお、ウェアラブル端末１０２は、図示しないバイブ機能やスピーカ等を用いてユーザに通知するようにしてもよい。
【００４６】
このように、ハンドヘルド端末１０３の利用状態に応じて、デジタルカメラ１０１によって生成されたイベントに基づく情報はユーザが利用している端末に通知される。これにより、種類の異なる端末を有効に活用してユーザに判りやすく情報を提供することができる。
【００４７】
［第２の実施形態］
次に本発明の第２の実施形態について説明する。本実施形態は、第１の実施形態に対して、ハンドヘルド端末１０３が端末の利用状況の判定を行う点が異なっている。第１の実施形態と同様の構成については同一の符号を付して説明を省略する。
【００４８】
図７は、本実施形態の情報通知システム１００の端末の状態判定処理を示すアクティビティ図である。ステップＳ７０１では、デジタルカメラ１０１は、撮影完了イベントを発生した後、通信部２１１を介してハンドヘルド端末１０３に撮影完了イベントを送信する。ステップＳ７０２では、ハンドヘルド端末１０３は、通信部４１１を介して撮影完了イベントを受信する。ステップＳ７０３では、ハンドヘルド端末１０３の制御部４０１は、自身の状態がスリープモードか否かを判定する。ハンドヘルド端末１０３が通常モードである場合には（ステップＳ７０３：通常モード）、制御部４０１は、自身で撮影完了イベントの処理が可能であると判定し、自身を撮影完了イベントの処理を行う装置として決定する。そして、制御部４０１は撮影完了イベントの処理を行う（ステップＳ７０４）。ステップＳ７０４では、ハンドヘルド端末１０３の制御部４０１は、受信した撮影完了イベントを処理し、ハンドヘルド端末１０３の表示部４０６に撮影完了イベントに基づく通知を表示する。
【００４９】
一方、ハンドヘルド端末１０３がスリープモードである場合には（ステップＳ７０３：スリープモード）、制御部４０１は、自身でデジタルカメラ１０１からの撮影完了イベントを処理できないと判定する。そして、ハンドヘルド端末１０３の制御部４０１は、ウェアラブル端末１０２を撮影完了イベントの処理を実行する装置として決定し、ウェアラブル端末１０２に撮影完了イベントを転送する（ステップＳ７０５）。ステップＳ７０６では、ウェアラブル端末１０２は、通信部３１１を介して撮影完了イベントを受信する。ステップＳ７０７では、ウェアラブル端末１０２の制御部３０１は、受信した撮影完了イベントに基づく通知をウェアラブル端末１０２の表示部３０６に表示する。なお、本実施形態では、ステップＳ７０３において、ハンドヘルド端末１０３の制御部４０１は、スリープモードである場合には撮影完了イベントを処理できないと判定しているが、撮影完了イベントを処理できない状態はスリープモードに限られない。例えば、ハンドヘルド端末１０３が通話中の場合等も、デジタルカメラ１０１からの撮影イベントは処理できないと判定し、ウェアラブル端末１０２に撮影完了イベントを送信するようにしてもよい。
【００５０】
このように、本実施形態では、ハンドヘルド端末１０３の制御部４０１は、ユーザのハンドヘルド端末１０３を利用状態に応じて、受信した撮影完了イベントを自身で処理し、またはウェアラブル端末１０２でイベントを処理する。即ち、デジタルカメラ１０１から独立して処理を行うことができるので、より柔軟な処理を行うことができる。
【００５１】
［第３の実施形態］
次に本発明の第３の実施形態について説明する。本実施形態では、第１の実施形態に対して、ウェアラブル端末１０２がイベントの処理の判定を行う点が異なっている。第１の実施形態と同様の構成については、同じ符号を付して説明を省略する。
【００５２】
図８は、本実施形態の情報通知システム１００の端末の状態判定処理を示すアクティビティ図である。ステップＳ８０１では、デジタルカメラ１０１の制御部２０１は、撮影完了イベントを発生した後、通信部２１１を介してウェアラブル端末１０２に送信する。ステップＳ８０２では、ウェアラブル端末１０２は、通信部３１１を介して撮影完了イベントを受信する。ステップＳ８０３では、ウェアラブル端末１０２の制御部３０１は、ハンドヘルド端末１０３に状態を取得する要求を送信する。ステップＳ８０４では、ハンドヘルド端末１０３の制御部４０１は、状態を取得する要求を受信する。ステップＳ８０５では、ハンドヘルド端末１０３の制御部４０１は、自身の状態を取得し、通信部４１１を介してウェアラブル端末１０２に状態情報を送信する。ステップＳ８０６では、ウェアラブル端末１０２は、通信部３１１を介してハンドヘルド端末１０３の状態情報を受信する。ステップＳ８０７では、ウェアラブル端末１０２の制御部３０１は、受信したハンドヘルド端末１０３の状態情報に基づき、ハンドヘルド端末１０３の状態がスリープモードか否かを判定する。ハンドヘルド端末１０３がスリープモードである場合には（ステップＳ８０７：スリープモード）、制御部３０１は、ハンドヘルド端末１０３では撮影完了イベントの処理はできないと判定し、自身を撮影完了イベントの処理を実行する装置として決定する。そして、自身で撮影完了イベントを処理する（ステップＳ８０８）。ステップＳ８０８では、ウェアラブル端末１０２の制御部３０１は、撮影完了イベントを処理し、撮影完了イベントに基づく通知をウェアラブル端末１０２の表示部３０６に表示する。
【００５３】
一方、ハンドヘルド端末１０３の状態が通常モードである場合には（ステップＳ８０７：通常モード）、制御部３０１は、ユーザはハンドヘルド端末１０３を利用しており、ハンドヘルド端末１０３で撮影完了イベントを処理できると判定する。そして制御部３０１は、ハンドヘルド端末１０３を撮影完了イベントの処理を実行する装置として決定し、ハンドヘルド端末１０３へ撮影完了イベントを転送する（ステップＳ８０９）。ステップＳ８０９では、ウェアラブル端末１０２の制御部３０１は、通信部３１１を介して、ハンドヘルド端末１０３にデジタルカメラ１０１から受信した撮影完了イベントを転送する。ステップＳ８１０では、ハンドヘルド端末１０３の制御部４０１は、通信部４１１を介して撮影完了イベントを受信する。ステップＳ８１１では、ハンドヘルド端末１０３の制御部４０１は、受信した撮影完了イベントに基づく通知を表示部４０６に表示する。
【００５４】
このように、本実施形態では、ウェアラブル端末１０２がデジタルカメラ１０１の撮影完了イベントを処理する端末を判定する。これにより、第２の実施形態と同様の効果を得ることができる。
【００５５】
［第４の実施形態］
次に本発明の第４の実施形態について説明する。本実施形態では、予めユーザによって設定された処理設定に基づきウェアラブル端末１０２及びハンドヘルド端末１０３のそれぞれでイベントの処理を行う点が異なっている。第１の実施形態と同様の構成については同じ符号を付し、説明は省略する。
【００５６】
図９は、本発明の実施形態に係る情報通知システム１００の端末の状態判定処理を示すアクティビティ図である。ステップＳ９０１では、デジタルカメラ１０１の制御部２０１は、撮影完了イベントを発生した後、通信部２１１を介してハンドヘルド端末１０３に撮影完了イベントを送信する。ステップＳ９０２では、ハンドヘルド端末１０３の制御部３０１は、通信部３１１を介して撮影完了イベントを受信する。ステップＳ９０３では、ハンドヘルド端末１０３の制御部４０１は、自身の状態がスリープモードか否かを判定する。ハンドヘルド端末１０３の状態が通常モードの場合には（ステップＳ９０３：通常モード）、制御部４０１はユーザによる処理設定の有無を判定する（ステップＳ９０４）。処理設定がある場合には（ステップＳ９０４：ユーザ設定あり）、制御部４０１は、処理設定に従ってデジタルカメラ１０１からの撮影完了イベントを処理する（ステップＳ９０５）。ステップＳ９０５では、ハンドヘルド端末１０３の制御部４０１は、撮影完了イベントを自身で処理するために撮影完了イベントに基づく通知をハンドヘルド端末１０３の表示部４０６に表示する。一方、ハンドヘルド端末１０３がスリープモードである場合（ステップＳ９０３：スリープモード）、またはユーザの処理設定がない場合には（ステップＳ９０４：ユーザ設定なし）、制御部４０１は撮影完了イベントを無視し、処理しない。
【００５７】
ステップＳ９０６では、デジタルカメラ１０１の制御部２０１は、ステップＳ９０１の後、通信部２１１を介して、ハンドヘルド端末１０３に送信した撮影完了イベントと同じイベントをウェアラブル端末１０２に送信する。ステップＳ９０７では、ウェアラブル端末１０２の制御部３０１は、撮影完了イベントを受信する。ステップＳ９０８では、ウェアラブル端末１０２の制御部３０１は、自身の状態がスリープモードまたはバッテリ低下状態か否かを判定する。ウェアラブル端末１０２が通常モードである場合には（ステップＳ９０８：通常モード）、制御部３０１はユーザによる処理設定の有無を判定する（ステップＳ９０９）。処理設定がある場合には（ステップＳ９０９：ユーザ設定あり）、制御部３０１は、処理設定に従ってデジタルカメラ１０１からの撮影完了イベントを処理する（ステップＳ９１０）。ステップＳ９１０では、ウェアラブル端末１０２の制御部３０１は、撮影完了イベントを処理するために撮影完了イベントに基づく通知をウェアラブル端末１０２の表示部３０６に表示する。一方、ウェアラブル端末１０２がスリープモード若しくはバッテリ低下状態の場合（ステップＳ９０８：スリープモード）、またはユーザの処理設定がない場合（ステップＳ９０９：ユーザ設定なし）、制御部３０１は、撮影完了イベントを無視し、処理しない。
【００５８】
このように、本実施形態では、デジタルカメラ１０１からのイベントをデジタルカメラ１０１から独立して、ウェアラブル端末１０２及びハンドヘルド端末１０３のそれぞれで処理を行うことができる。これにより、第２の実施形態と同様の効果を得ることができる。
【００５９】
なお、ウェアラブル端末１０２は心拍センサや温度センサ等の生体検出センサを備えていてもよい。この場合、ステップＳ９０９において、制御部３０１は、生体検出センサの検出結果に基づきユーザにウェアラブル端末１０２が装着されていない場合に、撮影完了イベントを処理しないようにしてもよい。また、ユーザの装着状態に限らず、撮影完了イベントの処理を行う生体検出センサの検出状態を、ユーザが予め設定してもよい。さらに、ステップＳ９０４、Ｓ９０９での処理設定はユーザによって行われるが、代わりにデフォルトで各端末に処理設定されていてもよい。
【００６０】
［第５の実施形態］
次に本発明の第５の実施形態について説明する。本実施形態では、第１の実施形態及び第４の実施形態を組み合わせた処理を行うものである。第１の実施形態及び第４の実施形態と同じ構成については同じ番号を付し、説明は省略する。
【００６１】
図１０は本実施形態による情報通知システム１００の端末の状態判定処理を示すアクティビティ図である。ステップＳ１００１では、デジタルカメラ１０１の制御部２０１は、撮影完了イベントを発生した後、通信部２１１を介してハンドヘルド端末１０３に状態取得要求を送信する。ステップＳ１００２では、ハンドヘルド端末１０３の制御部４０１は、通信部４１１を介して状態取得要求を受信する。ステップＳ１００３では、ハンドヘルド端末１０３の制御部４０１は、自身の状態がスリープモードか否かを判定する。ハンドヘルド端末１０３の状態が通常モードの場合には（ステップＳ１００３：通常モード）、ユーザによる処理設定を判定する（ステップＳ１００４）。ステップＳ１００４では、ハンドヘルド端末１０３の制御部４０１は、ユーザによって設定された処理設定の有無を判定する。処理設定がある場合には（ステップＳ１００４：ユーザ設定あり）、制御部４０１はユーザにより設定された処理設定に従った撮影完了イベントの処理が可能であると判定して、自身の状態情報として処理可能状態を設定する（ステップＳ１００５）。
【００６２】
一方、ハンドヘルド端末１０３がスリープモードである場合（ステップＳ１００３：スリープモード）、または処理設定がない場合には（ステップＳ１００４：ユーザ設定なし）、制御部４０１は撮影完了イベントの処理ができないと判定して状態情報を設定する。ステップＳ１００６では、ハンドヘルド端末１０３の制御部４０１は、自身の状態情報として処理不可能状態を設定する。ステップＳ１００７では、ハンドヘルド端末１０３の制御部４０１は、ステップＳ１００５またはステップＳ１００６で設定された状態情報を、通信部４１１を介してデジタルカメラ１０１に送信する。ステップＳ１００８では、デジタルカメラ１０１の制御部２０１は、通信部２１１を介してハンドヘルド端末１０３からの状態情報を受信する。ステップＳ１００９では、デジタルカメラ１０１の制御部２０１は、ハンドヘルド端末１０３から受信した状態情報に基づき、ハンドヘルド端末１０３でデジタルカメラ１０１で発生した撮影完了イベントを処理できるか否かを判定する。ハンドヘルド端末１０３で撮像完了イベントの処理が可能である場合には（ステップＳ１００９：処理可能）、制御部２０１はハンドヘルド端末１０３を撮影完了イベントの処理を実行する装置として決定する。そして、制御部２０１は撮影完了イベントをハンドヘルド端末１０３に送信する（ステップＳ１０１０）。ステップＳ１０１１では、ハンドヘルド端末１０３の制御部４０１は、通信部４１１を介して撮影完了イベントを受信する。ステップＳ１０１２では、ハンドヘルド端末１０３の制御部４０１は、撮影完了イベントを処理するために、撮影完了イベントに基づく通知をハンドヘルド端末１０３の表示部４０６に表示する。
【００６３】
一方、ハンドヘルド端末１０３が撮影完了イベントの処理ができない場合には（ステップＳ１００９：処理不可）、デジタルカメラ１０１の制御部２０１は、ウェアラブル端末１０２を撮影完了イベントの処理を実行する装置として決定する。そして、制御部２０１はウェアラブル端末１０２に対して状態取得要求を送信する（ステップＳ１０１３）。ステップＳ１０１４では、ウェアラブル端末１０２の制御部３０１は、通信部３１１を介して状態取得要求を受信する。ステップＳ１０１５では、ウェアラブル端末１０２の制御部３０１は、自身の状態がスリープモードか否かを判定する。ウェアラブル端末１０２が通常モードである場合には（ステップＳ１０１５：通常モード）、制御部３０１は、ウェアラブル端末１０２がユーザに利用されている状態であると判定し、ユーザによる処理設定を判定する（ステップＳ１０１６）。ステップＳ１０１６では、ウェアラブル端末１０２の制御部３０１は、デジタルカメラ１０１からの撮影完了イベントの処理についてユーザの処理設定の有無を判定する。処理設定がある場合には（ステップＳ１０１６：ユーザ設定あり）、制御部３０１は、ウェアラブル端末１０２の状態情報として処理可能状態を設定する（ステップＳ１０１７）。一方、ウェアラブル端末１０２がスリープモードの場合（ステップＳ１０１５：スリープモード）、または処理設定がない場合には（ステップＳ１０１６：ユーザ設定なし）、制御部３０１は撮影完了イベントの処理ができないと判定して状態情報を設定する。ステップＳ１０１８では、ウェアラブル端末１０２の制御部３０１は、自身の状態情報として処理不可能状態を設定する。ステップＳ１０１９では、ウェアラブル端末１０２の制御部３０１は、通信部３１１を介してデジタルカメラ１０１に状態情報を送信する。
【００６４】
ステップＳ１０２０では、デジタルカメラ１０１の制御部２０１は、通信部２１１を介してウェアラブル端末１０２から状態情報を受信する。ステップＳ１０２１では、デジタルカメラ１０１の制御部２０１は、ウェアラブル端末１０２で、デジタルカメラ１０１で生成した撮影完了イベントを処理できるか否かを判定する。ウェアラブル端末１０２で処理可能である場合には（ステップＳ１０２１：処理可能）、制御部２０１は、ユーザがウェアラブル端末１０２を利用していると判定し、ウェアラブル端末１０２を撮影完了イベントの処理を実行する装置として決定する。そして、デジタルカメラ１０１の制御部２０１は、通信部２１１を介してウェアラブル端末１０２に撮影完了イベントを送信する（ステップＳ１０２２）。ウェアラブル端末１０２で処理できない場合には（ステップＳ１０２１：処理不可）、制御部２０１は、ユーザがウェアラブル端末１０２を利用していないと判定し、処理を終了する。ステップＳ１０２３では、ウェアラブル端末１０２の制御部３０１は、通信部３１１を介してデジタルカメラ１０１から撮影完了イベントを受信する。ステップＳ１０２４では、ウェアラブル端末１０２の制御部３０１は、受信した撮影完了イベントをウェアラブル端末１０２の表示部３０６に表示する。
【００６５】
このように、本実施形態では、ウェアラブル端末１０２及びハンドヘルド端末１０３の利用状況に応じて、ユーザに判りやすく情報を提供することができる。
【００６６】
［第６の実施形態］
次に本発明の第６の実施形態について説明する。本実施形態では、第１の実施形態に対して、デジタルカメラに代えてデジタルテレビの録画再生装置とした点が異なっている。第１の実施形態と同様の構成については同じ符号を付し、説明は省略する。
【００６７】
図１１は本実施形態による録画再生装置１１００のハードウェア構成図である。図１１（ａ）は、本実施形態による情報提供端末の一例であるデジタルテレビの録画再生装置１１００のハードウェア構成図、図１１（ｂ）は録画再生装置１１００の斜視図である。なお、図１１（ｂ）において、表示部１１０６が配置されている側を正面側として定義する。
【００６８】
録画再生装置１１００は、制御部１１０１、ＴＶチューナー１１０２、不揮発性メモリ１１０３、作業用メモリ１１０４、操作部１１０５、表示部１１０６、記録媒体Ｉ／Ｆ１１０７、及び記録媒体１１０８を備えている。録画再生装置１１００は、受光部１１０９、アンテナ端子１１１０、及び通信部１１１１をさらに備えている。ＴＶチューナー１１０２、不揮発性メモリ１１０３、作業用メモリ１１０４、操作部１１０５、表示部１１０６、記録媒体Ｉ／Ｆ１１０７、受光部１１０９、及び通信部１１１１は、制御部１１０１と電気的に接続している。
【００６９】
制御部１１０１は、ＣＰＵ（Central Processing Unit）を備え（図示せず）、入力された信号を処理し、不揮発性メモリ１１０３に記憶されたプログラムを実行することにより録画再生装置１１００の各部を制御する。制御部１１０１は、表示部１１０６の表示を制御する。なお、制御部１１０１が録画再生装置１１００全体を制御する代わりに、例えば複数のＣＰＵにより処理を分担することによって、録画再生装置１１００全体を制御してもよい。制御部１１０１は、例えばテレビ用電波信号に含まれている時刻情報等から時刻情報を取得する機能を有している。
【００７０】
ＴＶチューナー１１０２は、アンテナ端子１１１０と電気的に接続されており、外部アンテナを介してテレビ用電波信号を受信し、変調して所望のチャンネルの信号を抽出する。抽出された信号は制御部１１０１により信号処理され、ＴＶビデオ信号に変換された後、記録媒体１１０８に録画される。不揮発性メモリ１１０３は、電気的に消去・記録可能なメモリである。不揮発性メモリ１１０３には、制御部１１０１が実行する基本的なソフトウェアであるＯＳ（オペレーティングシステム）、このＯＳと協働して応用的な機能を実現するアプリケーション、及び制御部１１０１で実行されるプログラム等が格納されている。また、本実施形態では、不揮発性メモリ１１０３には、ウェアラブル端末１０２及びハンドヘルド端末１０３と無線通信するためのアプリケーションが格納されている。作業用メモリ１１０４は、制御部１１０１の作業領域等として用いられる。
【００７１】
操作部１１０５は、録画再生装置１１００の正面１１００ａに設けられている。操作部１１０５は、例えば、録画再生装置１１００の電源のＯＮ／ＯＦＦを指示するための電源ボタン、録画データを再生する再生ボタン１１０５ａ、録画を開始する録画ボタン１１０５ｂ、録画を停止するボタン、録画予約を行うボタン等を含む。操作部１１０５は、さらに、通信部１１１１を介して外部機器との通信を行うための接続ボタン、及び位置情報を取得する機能を有するタッチパネル等のリモートコントローラを含む。このように操作部１１０５は、録画再生装置１１００に対する指示をユーザから受け付けるために用いられる。
【００７２】
表示部１１０６は、録画再生装置１１００の正面１１００ａに設けられている。表示部１１０６は、例えば液晶ディスプレイ等から構成されている。表示部１１０６は、録画再生装置１１００の各種設定及び情報等を表示する。記録媒体Ｉ／Ｆ１１０７は、記録媒体１１０８とのインターフェースである。記録媒体Ｉ／Ｆ１１０７は、制御部１１０１からの指示信号により、変換されたＴＶビデオ信号を記録する。記録媒体１１０８は、例えばＨＤＤ（Hard Disk Drive）である。受光部１１０９は、赤外線受光部等であり、例えば、図示しない赤外リモートコントローラから信号を受信する。
【００７３】
通信部１１１１は、通信可能な外部装置と無線通信を行うためのインターフェースである。通信部１１１１は、外部装置とＩＥＥＥ８０２．１１の規格に従った、いわゆる無線ＬＡＮを利用する。本実施形態の録画再生装置１１００では、制御部１１０１は、通信部１１１１を介して、ウェアラブル端末１０２及びハンドヘルド端末１０３とデータの送受信を行うことができる。例えば、制御部１１０１は、記録媒体１１０８に記録した録画データを、通信部１１１１を介してウェアラブル端末１０２またはハンドヘルド端末１０３に送信することができる。通信部１１１１を介して、ウェアラブル端末１０２及びハンドヘルド端末１０３等の外部装置から録画再生装置１１００の遠隔操作も可能である。例えば、通信部１１１１を外部インターネットに接続し、自宅ＬＡＮの外からもアクセス可能な設定にしておくことによって、ユーザが外出先でハンドヘルド端末１０３から自宅にある録画再生装置１１００の録画予約をすることができる。
【００７４】
図１２は、本実施形態による情報通知システムの処理を示すアクティビティ図である。図１２に示す処理は、ハンドヘルド端末１０３が録画再生装置１１００を遠隔操作する処理である。図１２に示す処理が行われる前に、録画再生装置１１００の電源はＯＮされているものとする。ステップＳ１２０１では、ハンドヘルド端末１０３の制御部４０１は、ユーザの操作により録画再生装置１１００を遠隔操作するためのアプリケーションの起動の操作指示があった場合に、不揮発性メモリ４０３から読み出して当該アプリケーションを起動する。ステップＳ１２０２では、ハンドヘルド端末１０３の制御部４０１は、ステップＳ１２０１で起動したアプリケーションから録画再生装置１１００の遠隔操作指令の信号を、通信部４１１を介して録画再生装置１１００に送信する。ステップＳ１２０３では、録画再生装置１１００の制御部１１０１は、通信部１１１１を介して、ハンドヘルド端末１０３から遠隔操作の指令信号を受信する。ステップＳ１２０４では、録画再生装置１１００の制御部１１０１は、録画再生装置１１００の初期化を行う。
【００７５】
ステップＳ１２０５では、録画再生装置１１００の制御部１１０１は、時刻が予め設定された録画開始時間に到達したか否かを検出する。録画開始時間に到達した場合には（ステップＳ１２０５：録画開始時間）、制御部１１０１は、例えば録画予約されたテレビ番組のデータを記録媒体１１０８に録画する（ステップＳ１２０６）。一方、録画開始時間に到達していない場合には（ステップＳ１２０５：録画開始時間外）、制御部１１０１は他の録画予約の有無を判定する（ステップＳ１２１２）。ステップＳ１２０７では、録画再生装置１１００の制御部１１０１は、録画の終了後、処理を行う端末の状態判定処理を行う。詳細については、図６に示したデジタルカメラ１０１を録画再生装置１１００に置き換えた点が異なるだけで、処理は図６と同様であるので説明は省略する。なお、本実施形態では、ステップＳ１２０７の状態判定処理により、ハンドヘルド端末１０３が録画完了イベントの処理を実行する装置として決定されているものとする。
【００７６】
ステップＳ１２０８では、録画再生装置１１００の制御部１１０１は、制御部１１０１で録画完了により発生したイベント情報としての録画完了イベントを、通信部１１１１を介してハンドヘルド端末１０３に送信する。ステップＳ１２０９では、ハンドヘルド端末１０３の制御部４０１は、通信部４１１を介して録画完了イベントを受信する。ステップＳ１２１０では、ハンドヘルド端末１０３の制御部４０１は、録画完了イベントに基づく通知を表示部４０６に表示する。ステップＳ１２１１では、ハンドヘルド端末１０３の制御部４０１は、アプリケーションを終了するか否かを判定する。アプリケーション終了の条件が満たされていない場合には（ステップＳ１２１１：アプリ動作）、制御部４０１は、録画完了イベントを受信するまで待機する（ステップＳ１２０９）。アプリケーション終了の条件が満たされている場合には（ステップＳ１２１１：アプリ終了）、次の制御部４０１はアプリケーションを終了する。なお、アプリケーション終了の条件とは、例えばユーザによるアプリケーションの終了操作等である。
【００７７】
ステップＳ１２１２では、録画再生装置１１００の制御部１１０１は、ステップＳ１２０８のイベント送信後、他の録画予約の有無を判定する。他の録画予約がある場合には（ステップＳ１２１２：録画予約あり）、制御部１１０１は、録画開始時間に到達するまで待機する（ステップＳ１２０５）。他の録画予約がない場合には（ステップＳ１２１２：録画予約なし）、制御部１１０１は、処理を終了する。
【００７８】
このように、本実施形態では、ウェアラブル端末１０２及びハンドヘルド端末１０３の利用状態に基づき、録画再生装置１１００の録画完了イベントはユーザが利用している端末に送信されるので、第１の実施形態と同様の効果を得ることができる。
【００７９】
以上で本発明の実施形態について説明を終えるが、本発明は上述した実施形態に限定されるものではなく、本発明の趣旨を逸脱しない範囲で種々の変更が可能である。例えば、上述した各実施形態では、情報通知システム１００はウェアラブル端末１０２とハンドヘルド端末１０３とをそれぞれ１つずつ備えていると説明したが、これらの端末はそれぞれ１つである必要はない。これらの端末１０２、１０３は複数備えられていてもよく、その場合には各実施形態で説明したウェアラブル端末１０２及びハンドヘルド端末１０３の処理を複数機種分実施すればよい。
【００８０】
また、各実施形態では、ハンドヘルド端末１０３がスリープモードである場合には、制御部３０１はデジタルカメラ１０１からの撮影完了イベントを処理できないと判定しているが、処理できない状態はスリープモードに限られない。例えば、ハンドヘルド端末１０３の制御部３０１は、ハンドヘルド端末１０３が通話中の場合等もデジタルカメラ１０１からの撮影完了イベントは処理できない状態として判定してもよく、上述した処理をそのまま利用可能である。また、第１〜第４の実施形態では、デジタルカメラ１０１の撮影完了イベントを各端末へ送信しているが、デジタルカメラ１０１が生成するイベントは撮影完了イベントに限られない。
【００８１】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８２】
１００  情報通知システム
１０１  デジタルカメラ
１０２  ウェアラブル端末
１０３  ハンドヘルド端末
２０１  制御部
３０１  制御部
４０１  制御部
１１００  録画再生装置
１１０１  制御部
【図１】
0006570360.tif 000002
【図２】
0006570360.tif 000003
【図３】
0006570360.tif 000004
【図４】
0006570360.tif 000005
【図５】
0006570360.tif 000006
【図６】
0006570360.tif 000007
【図７】
0006570360.tif 000008
【図８】
0006570360.tif 000009
【図９】
0006570360.tif 000010
【図１０】
0006570360.tif 000011
【図１１】
0006570360.tif 000012
【図１２】
0006570360.tif 000013